【手続補正書】
【提出日】平成17年12月5日(2005.12.5)
【手続補正１】
【補正対象書類名】特許請求の範囲
【補正対象項目名】全文
【補正方法】変更
【補正の内容】
【特許請求の範囲】
【請求項１】
少なくとも１つの通信ネットワーク（４）を介して、サーバ（３）と少なくとも１つのクライアント端末（２）との間で、オブジェクトと呼ばれるデータを送信する方法であって、該サーバによって送信された該オブジェクトの少なくともいくつかを格納するようにされた少なくとも１つのキャッシュメモリ（１）が、前記ネットワーク内の前記クライアント端末の少なくとも１つに関連付けられ、
前記クライアント端末（２）と前記サーバ（３）との間での前記キャッシュメモリ（１）のコンテンツに関する情報交換を制限するために、前記クライアント端末（２）の１つに関連付けられた前記キャッシュメモリ（１）に存在する各オブジェクトの少なくとも１つのリスト（６）を、前記クライアント端末の上流にある前記サーバ（３）または前記通信ネットワークの中間要素によって管理することを特徴とする送信方法。
【請求項２】
前記オブジェクトの少なくとも１つに対して、前記オブジェクトの再生に関する情報とともに、前記オブジェクトの各々についての識別子を前記リスト（６）内に格納することを特徴とする請求項１に記載の送信方法。
【請求項３】
前記オブジェクトの少なくとも１つの前記再生情報が、前記オブジェクトの微細レベルに関するものであることを特徴とする請求項２に記載の送信方法。
【請求項４】
前記オブジェクトの前記Ｏ識別子および前記オブジェクトの前記再生情報Ｌ0を含む、前記キャッシュメモリに格納された前記オブジェクトの各々に対して、前記リスト（６）が＜Ｏ，Ｌ0＞のペアを含むことを特徴とする請求項２または３に記載の送信方法。
【請求項５】
表示情報と呼ばれる、前記クライアント端末（２）および／または前記クライアント端末のユーザに関する情報の少なくとも１つのアイテムが、前記クライアント端末の各々に対してコンテキストを形成するように前記リスト（６）に関連付けられることを特徴とする請求項１から４のいずれかに記載の送信方法。
【請求項６】
前記表示情報が、
前記ユーザの位置情報と、
前記ユーザの観察方向と、
前記オブジェクトの選択パラメータと
を含んでなる群に属することを特徴とする請求項５に記載の送信方法。
【請求項７】
前記サーバ（３）に初期表示情報が送信されるものである、前記クライアント端末（２）の各々のための第１の送信ステップ（７１）と、前記対応するコンテキスト中に前記サーバ（３）が前記初期表示情報を格納する格納ステップ（７２）とを含む予備初期化段階を、前記各クライアント端末（２）のために含むことを特徴とする請求項５または６に記載の送信方法。
【請求項８】
前記予備初期化段階は、前記サーバ（３）が前記クライアント端末（２）によって再生されるシーンのきめの粗いバージョンのものを前記クライアント端末に送信する第２の送信ステップ（７３）をさらに含むことを特徴とする請求項４に記載の送信方法。
【請求項９】
所定の時間間隔で、および／または、前記表示情報の修正時に、前記クライアント端末の各々が、前記表示情報アイテムの少なくともいくつかを前記サーバに転送するステップを実行することを特徴とする請求項５から８のいずれかに記載の送信方法。
【請求項１０】
前記所定の時間間隔が、前記クライアント端末によって固定されたものであることを特徴とする請求項９に記載の送信方法。
【請求項１１】
前記所定の時間間隔が、前記通信ネットワークの少なくとも１つの特徴によるものであることを特徴とする請求項１０に記載の送信方法。
【請求項１２】
前記クライアント端末によって実行される前記転送ステップの終わりに、対応する前記コンテキスト内の前記表示情報を更新するステップ（６２）を実行することを特徴とする請求項９から１１のいずれかに記載の送信方法。
【請求項１３】
前記サーバが、
前記更新された表示情報の少なくともいくつかの関数として、前記クライアント端末に必要な少なくとも１つの識別子オブジェクトＯおよび対応する再生レベルＬ0を決定する決定ステップ（６３）と、
前記クライアント端末に関連付けられた前記キャッシュメモリを表す前記リストを分析して、存在するならば、前記識別オブジェクトＯと前記クライアント端末に必要な再生レベルＬ0とに対応し、前記リストに記憶されていないペア＜Ｏ，Ｌ0＞を特定するステップ（６４）と、
前記リストに記憶されていない前記ペア＜Ｏ，Ｌ0＞の任意のものに対応する、前記クライアント端末が必要とする再生レベルＬ0とともに、存在するならば、前記識別子オブジェクトＯを前記クライアント端末に送信するステップ（６５）と、
存在するならば、送信された前記オブジェクトに対応する前記ペア＜Ｏ，Ｌ0＞を前記クライアント端末に追加して、前記クライアント端末に関連付けられた前記キャッシュメモリを表す前記リストを更新するステップ（６６）と
を前記更新ステップの終わりに実行することを特徴とする請求項１２に記載の送信方法。
【請求項１４】
前記サーバが、
少なくとも１つの識別子オブジェクトＯと、前記クライアント端末にとって必要な可能性がある再生レベルＬ0とを、少なくとも１つの見込み基準によって決定するステップと、
前記少なくとも１つの識別子オブジェクトＯおよび再生レベルＬ0を、前記クライアント端末に前もって送信するステップと
をさらに実行することを特徴とする請求項１３に記載の送信方法。
【請求項１５】
前記サーバによって送信される少なくとも１つのオブジェクトを受信する（８１）と、前記クライアント端末が、
前記クライアント端末に関連付けられた前記キャッシュメモリの充填率が、所定のしきい値より低い場合には、前記キャッシュメモリに前記受信したオブジェクトを格納するステップ（８３）と、
そうでない場合には、前記受信したオブジェクトの関連基準を評価するステップ（８４）と
を実行するものであり、
前記キャッシュメモリに格納された前記オブジェクトの少なくとも１つが、前記受信したオブジェクトの前記関連基準より小さい値の関連基準を有している場合には、前記クライアント端末が、前記キャッシュメモリから前記値が小さな関連オブジェクトを削除するサブステップ（８６）と、前記キャッシュメモリに前記受信したオブジェクトを格納するサブステップとを実行し、
そうでない場合には、前記クライアント端末が、前記受信したオブジェクトを拒絶するサブステップ（８５）を実行することを特徴とする請求項１３または１４に記載の送信方法。
【請求項１６】
前記削除サブステップおよび／または前記拒絶サブステップの後に、前記クライアント端末が、前記クライアント端末に関連付けられた前記キャッシュメモリを更新するための少なくとも１つの情報アイテムを前記サーバに送信することによって、前記サーバは、前記除外サブステップ中に除外された前記オブジェクト、および／または、前記送信ステップ中に前記サーバによって送信されたオブジェクトに対応するが、前記キャッシュメモリには記憶されていない少なくとも１つの＜Ｏ，Ｌ0＞のペアを、前記キャッシュメモリを表す前記リストから除外することを特徴とする請求項１５に記載の送信方法。
【請求項１７】
前記関連付けされたインデックスから始まる前記オブジェクトの一部分を選択的に送信できるように、前記オブジェクトの少なくともいくつかが少なくとも１つのインデックスを含むことを特徴とする請求項１から１６のいずれかに記載の送信方法。
【請求項１８】
少なくとも１つの通信ネットワークを介して、サーバ（３）と少なくとも１つのクライアント端末（２）との間で、オブジェクトと呼ばれるデータを送信するシステムであって、前記サーバによって送信された前記オブジェクトの少なくともいくつかを格納するようにされた少なくとも１つのキャッシュメモリ（１）が、前記ネットワーク内の前記クライアント端末の少なくとも１つに関連付けられ、
前記クライアント端末と前記サーバとの間での前記キャッシュメモリのコンテンツに関する情報交換を制限するために、前記クライアント端末の１つに関連付けられた前記キャッシュメモリに存在する各オブジェクトの少なくとも１つのリスト（６）を、前記クライアント端末の上流で管理するための手段を含むことを特徴とするシステム。
【請求項１９】
少なくとも１つの通信ネットワークを介して少なくとも１つのクライアント端末に接続された、オブジェクトと呼ばれるデータのためのデータサーバであって、前記サーバによって送信された前記オブジェクトの少なくともいくつかを格納するように与えられた少なくとも１つのキャッシュメモリが、前記ネットワーク内の前記クライアント端末の少なくとも１つに関連付けられ、
前記キャッシュメモリのコンテンツに関係する情報に関して、前記関連付けられたクライアント端末との情報交換を制限するために、前記クラアント端末の少なくとも１つに関連付けられた前記キャッシュメモリに存在するオブジェクトの少なくとも１つのリストを管理する手段を含むことを特徴とするデータサーバ。
【請求項２０】
前記端末に関連付けられた前記キャッシュメモリを表す前記リストを前記サーバが更新できるように、更新情報の少なくとも１つのアイテムを前記サーバに送信する手段を含むことを特徴とする請求項１９に記載のデータサーバ用のクライアント端末。
【手続補正２】
【補正対象書類名】明細書
【補正対象項目名】００３０
【補正方法】変更
【補正の内容】
【００３０】
したがって、米国特許第６０９８０６４号明細書には、ドキュメントが将来的にユーザによって必要とされる見込みに応じて、コンピュータのキャッシュメモリに格納すべき（特に、ウェブページの形態などの）ドキュメントを決定するための技術が記載されている。この技術を用いると、端末のキャッシュメモリにあるドキュメントか、または将来的にユーザの関心を引くであろうドキュメントのいずれかをリストした要求リストが作製される。
【手続補正３】
【補正対象書類名】明細書
【補正対象項目名】００３１
【補正方法】変更
【補正の内容】
【００３１】
本発明によるリストと異なり、上述したリストの役割は、クライアントがドキュメントを表示するときにサーバとクライアント端末との間で交換される情報の数および／または量を減らすことではないので、本願の目的のために使用することができない。
実際には、リストの必要性は、サーバが、与えられたクライアント端末のキャッシュメモリ内にどのドキュメントが現に存在するかを正確にわかるようにし、サーバに接続されるクライアント端末の集合のために、そのようなリストのさらなる要求は集合的なリストになりうる。
米国特許第６０９８０６４号明細書に示された技術によれば、端末がサーバからドキュメントの集合を必要とする場合には、端末によって必要とされるドキュメントの中から、端末およびサーバがそれらの一方または両方を決定する大容量の情報を交換することを必要とし、それらの情報は、キャッシュ内に既に存在しており、サーバに再び送信する必要がない。
この米国特許第６０９８０６４号明細書によって解決される課題はクライアント端末からの要求の予測の問題であり、このことは、サーバとクライアント端末との間にあるキャッシュメモリのコンテキストに関連する交換される情報の減少という本発明が解決する課題とは大きく異なる。